(57)【要約】      （修正有）【課題】製造工程の複雑化を抑制するための設計の自由度に優れた机を提供する。【解決手段】矩形板状をなす天板１と、この天板１を支持するための支持フレーム２とを備えてなる机Ａであって、前記支持フレーム２が、前記天板１の周縁部に沿って配設された水平支持部と、この水平支持部と接続し左右に対をなして上下方向に延びてなる起立支持部２２と、この起立支持部２２の下端部に接続した脚部２３とを備えたものであり、前記起立支持部２２が、上端部が前記天板１における周縁部の反使用縁側に位置してなる起立支持部材２２２を有しており、前記脚部２３が、左右に対をなして前後方向に延び床面に接する側脚部材２３１を有している。【選択図】図１
2016144564.tif 000002
【特許請求の範囲】
【請求項１】
矩形板状をなす天板と、この天板を支持するための支持フレームとを備えてなる机であって、
前記支持フレームが、前記天板の周縁部に沿って配設された水平支持部と、この水平支持部と接続し左右に対をなして上下方向に延びてなる起立支持部と、この起立支持部の下端部に接続した脚部とを備えたものであり、
前記起立支持部が、上端部が前記天板における周縁部の反使用縁側に位置してなる起立支持部材を有しており、前記脚部が、左右に対をなして前後方向に延び床面に接する側脚部材を有している机。
【請求項２】
前記起立支持部と前記脚部とが少なくとも金属製のパイプ材により形成されたものであり、これら起立支持部と脚部とが溶接により連結されている請求項１記載の机。
【請求項３】
前記起立支持部と前記脚部とが少なくとも金属製のパイプ材により形成されたものであり、前記起立支持部に形成された直線部分と前記脚部に形成された直線部分とが溶接により連結されている請求項１又は２記載の机。
【請求項４】
一方側の前記起立支持部材及び前記側脚部材がパイプ材を曲げて一体に形成されているとともに他方側の前記起立支持部材及び前記側脚部材がパイプ材を曲げて一体に形成されている請求項１記載の机。
【発明の詳細な説明】
【技術分野】
【０００１】
本発明は、教育施設等において好適に使用される机に関する。
【背景技術】
【０００２】
教育施設等において好適に使用される机としては、従来から、金属製のパイプ材により構成された支持フレームにより天板を支持してなるものが知られている（例えば特許文献１参照）。
【０００３】
この支持フレームは、上下方向に延びる４本の脚部材とこれら脚部材同士を連結させるための複数本の連結部材とを備えている。そして、前記脚部材と前記連結部材同士の接続は、溶接やねじ止めにより行われている。このため、従来の机は、部品点数が多くなりやすく、これに伴って溶接やねじ止めの箇所も多くなり、支持フレームの製造工程が複雑化しやすいという不具合がある。
【先行技術文献】
【特許文献】
【０００４】
【特許文献１】特開２０１１−２２４１５５号公報
【発明の概要】
【発明が解決しようとする課題】
【０００５】
本発明は、このような課題に着目してなされたものであって、製造工程の複雑化を抑制するための設計の自由度に優れた机を提供することにある。
【課題を解決するための手段】
【０００６】
すなわち、本発明は次の構成をなしている。
【０００７】
請求項１に記載の机は、矩形板状をなす天板と、この天板を支持するための支持フレームとを備えてなる机であって、前記支持フレームが、前記天板の周縁部に沿って配設された水平支持部と、この水平支持部と接続し左右に対をなして上下方向に延びてなる起立支持部と、この起立支持部の下端部に接続した脚部とを備えたものであり、前記起立支持部が、上端部が前記天板における周縁部の反使用縁側に位置してなる起立支持部材を有しており、前記脚部が、左右に対をなして前後方向に延び床面に接する側脚部材を有している。
【０００８】
このようなものであれば、側脚部材が、床面に接するものであり、且つ、前後方向に延びたものであるため、支持フレームを製造するための部品点数の削減、及び、溶接個所やねじ止め箇所の低減に寄与し得るものとなる。換言すれば、本発明の机であれば、製造工程が複雑化することを好適に抑制し得るものとなる。
【０００９】
請求項２に記載の机は、請求項１記載の構成において、前記起立支持部と前記脚部とが少なくとも金属製のパイプ材により形成されたものであり、これら起立支持部と脚部とが溶接により連結されている。
【００１０】
このようなものであれば、前記起立支持部と前記脚部とが溶接により連結されたものであるため、両者が強度に優れた態様で連結されたものとなる。
【００１１】
請求項３に記載の机は、請求項１又は２記載の構成において、前記起立支持部と前記脚
部とが少なくとも金属製のパイプ材により形成されたものであり、前記起立支持部に形成された直線部分と前記脚部に形成された直線部分とが溶接により連結されている。
【００１２】
このようなものであれば、前記起立支持部に形成された直線部分と前記脚部に形成された直線部分とが溶接により連結されているものであるため、製造時において比較的高度な技量を要求されることなく溶接作業を行うことができるものとなっている。
【００１３】
請求項４に記載の机は、請求項１記載の構成において、一方側の前記起立支持部材及び前記側脚部材がパイプ材を曲げて一体に形成されているとともに他方側の前記起立支持部材及び前記側脚部材がパイプ材を曲げて一体に形成されている。
【００１４】
このようなものであれば、支持フレームを構成するための部品点数の増加を好適に抑制し得るものとなる。
【発明の効果】
【００１５】
以上説明したように本発明によれば、製造工程の複雑化を抑制するための設計の自由度に優れた机を提供することができるものとなる。
【図面の簡単な説明】
【００１６】
【図１】本発明の第一の実施形態である斜視図。
【図２】同実施形態における椅子を、上下及び前後を反転させた同一形状をなす他の机の天板上に載置した状態を示す斜視図。
【図３】同実施形態における支持フレームを部品単位で複数スタッキングした状態を示す斜視図。
【図４】本発明の第二の実施形態を示す斜視図。
【図５】本発明の第三の実施形態を示す斜視図。
【図６】本発明の第四の実施形態を示す斜視図。
【図７】本発明の第五の実施形態を示す斜視図。
【図８】同発明形態における棚を部品単位で複数スタッキングした状態を示す斜視図。
【図９】本発明の第六の実施形態を示す斜視図。
【発明を実施するための形態】
【００１７】
以下、本発明の第一の実施形態を、図１〜３を参照して説明する。
【００１８】
この机Ａは、矩形板状をなす天板１と、この天板１を支持するための支持フレーム２と、天板１の下側に配された棚３とを備えてなる。以下、詳述する。
【００１９】
前記天板１は、平板状のものであり、平面視において横長矩形状をなしている。
【００２０】
前記支持フレーム２は、前記天板１の周縁部１１に沿って配設された水平支持部２１と、この水平支持部２１と接続し左右に対をなして上下方向に延びてなる起立支持部２２と、この起立支持部２２の下端部に接続した脚部２３とを備えている。
【００２１】
前記水平支持部２１は、金属製のパイプ材により形成されたものであり、天板１の側部を支持する前後方向に延びる側水平部材２１１と、天板１の後部を支持する左右方向に延びる後水平部材２１２とを備えている。
【００２２】
前記起立支持部２２は、金属製のパイプ材により形成されたものであり、上端部が前記天板１における周縁部１１の反使用縁１１ａ側に位置してなる上下方向に延びる後側の起
立支持部材２２１と、この後側の起立支持部材２２１の前側に配された上下方向に延びる前側の起立支持部材２２２とを備えている。
【００２３】
前記脚部２３は、金属製のパイプ材により形成されたものであり、左右に対をなして前後方向に延び床面に接する側脚部材２３１と、これら側脚部材２３１の後端部同士を繋ぐ左右方向に延びる後脚部材２３２とを備えている。
【００２４】
水平支持部２１を構成する後水平部材２１２と起立支持部２２を構成する後側の起立支持部材２２１とは、一本のパイプ材を曲げることにより一体に形成されている。
【００２５】
水平支持部２１を構成する側水平部材２１１と起立支持部２２を構成する前側の起立支持部材２２２と、脚部２３を構成する側脚部材２３１及び後脚部材２３２とは、一本のパイプ材を曲げることにより一体に形成されている。
【００２６】
前記起立支持部２２における後側の起立支持部材２２１と脚部２３における後脚部材２３２とが溶接により連結されている。より具体的には、前記起立支持部２２における後側の起立支持部材２２１の下端部に形成された左右方向に延びる直線部分２２１ａと前記脚部２３における後脚部材２２３の両端部に形成された左右方向に延びる直線部分２３２ａとが溶接により連結されている。
【００２７】
前側の起立支持部材２２２の上部と後側の起立支持部材２２１の上部とは、棚３を支持する機能を兼ねた連結部材Ｒを介して連結されている。
【００２８】
棚３は、書籍等の物品を収容するためのものであり、金属板により作られた箱状のものである。棚３は、天板１と略平行に配される棚板３０と、棚板の左右両側縁から上方に向けて立設された側板３１と、棚板３０の後縁から上方に向けて立設された後板３２とを備えている。
【００２９】
机Ａは、図２に示すように、上下及び前後を反転させた同一構造をなす他の机Ａ’における天板１’上（天板１’の裏面）に脚部２３を載せ置くことができるように構成されている。
【００３０】
支持フレーム２は、図３に示すように、天板１及び棚３が取り付けられていない状態において、同一構造をなす他の支持フレーム２を上下方向に複数スタッキングできるようになっている。
【００３１】
続いて、本発明の第二、第三、及び、第四の実施形態について、図４〜６を参照して説明する。なお、これら各実施形態において、前記第一の実施形態と同一又は対応する構成については、第一の実施形態で用いた符号と同一の符号を付すこととし、詳細な説明を省略する。
【００３２】
第二、第三、及び、第四の実施形態である机Ａは、それぞれ、支持フレーム２を構成する一方側すなわち左側の起立支持部材２２１、及び、側脚部材２３１がパイプ材を曲げて一体に形成されているとともに他方側すなわち右側の起立支持部材２２１、及び、側脚部材２３１がパイプ材を曲げて一体に形成されている。
【００３３】
なお、図５では、第三の実施形態である机Ａを示すとともに、着座者が着座するための椅子Ｂを示している。この机Ａと椅子Ｂとによって、教育施設において適用されるスクールセットを構成する。
【００３４】
椅子Ｂは、座面を有した板状をなす座板４と、背凭れ面を有した板状をなす背板５と、これら座板４及び背板５を支持する金属パイプ材を主体に形成された支持体６とを備えたものである。支持体６は、座板４を支持するための側面視Ｌ字状をなす座板支持フレーム６１と、下端部に床面に沿って配される前後方向に延びる脚部６２１を有し、上部において背板５及び座支持フレーム６１を支持する側面視Ｌ字状をなすメインフレーム６２とを備えている。座支持フレーム６１における上下方向に延びてなる直線部分６１ａとメインフレーム６２における上下方向に延びてなる直線部分６２ａとは、溶接により接続されている。
【００３５】
続いて、本発明の第五の実施形態について、図７及び図８を参照して説明するとともに、第六の実施形態について、図９を参照して説明する。なお、これら各実施形態において、第一の実施形態と同一又は対応する構成については、第一の実施形態で用いた符号と同一の符号を付すこととし、詳細な説明を省略する。
【００３６】
第五の実施形態における机Ａは、図７に示すように、水平支持部２１を構成する側水平部材２１１、起立支持部２２を構成する起立支持部材２２１、脚部２３を構成する側脚部材２３１、及び、後脚部材２３２がパイプ材を曲げて一体に形成されている。後水平部材２１２の両端部には下方に延びる直線部分２１２ａを有している。これら直線部分２１２ａは、起立支持部材２２１の上部に形成された上下方向に延びる直線部分２２１ｂに溶接により接続されている。また、後水平部材２１２の中間部と後脚部材２３２の中間部とは、上下方向に延びる補助フレームＳを介して連結されている。
【００３７】
棚３は、複数のパイプ材を主体にして形成されている。棚３は、左右方向に水平に延びる水平部３３とこの水平部３３の両端から上方向に延びる起立部３４とを有した棚構成部材３ａを有している。棚３は、前記棚構成部材３ａを天板１の下面に前後方向に複数配設することにより形成されている。そして、複数の棚構成部材３ａによって、荷物を支持することができるようになっている。天板１の反使用縁１１ａ側には、短寸の水平部３５と起立部３６とを有した小幅の棚構成部材３ｂが配されており、荷物が後側から落ちるのを阻止し得るようになっている。小幅の棚構成部材３ｂは後部に配された棚構成部材３ａに接続している。換言すれば、後部に配された棚構成部材３ａの中間に二本のパイプ材である起立部３６を設けており、比較的小さな収納物でも落ちにくいようになっている。
【００３８】
棚３は、図８に示すように、天板１及び支持フレーム２取り付けられていない状態において、同一構造をなす他の棚３を上下方向に複数スタッキングできるようになっている。
【００３９】
第六の実施形態における机Ａは、図９に示すように、２人が同時に利用できる大きさのものであり、左右方向に比較的長い天板１を有している。机Ａは、水平支持部２１を構成する側水平部材２１１、起立支持部２２を構成する左右の起立支持部材２２１、脚部２３を構成する側脚部材２３１、及び、後脚部材２３２がパイプ材を曲げて一体に形成されている。
【００４０】
この実施形態における支持フレーム２は、天板１の左右方向中間部に、中間の支持フレーム部材２ａを配している。中間の支持フレーム部材２ａは、天板１の中間部に添接して支持する前後方向に延びる中間の水平部材２１３と、この中間の水平部材２１３の後端部に連続して上下方向に延びる中間の起立支持部材２２３と、この起立支持部材２２３の下端部に連続して前後方向に延び床面に添接する中間の脚部材２３３とを備えている。
【００４１】
以上に述べたように、本発明である机Ａは、脚部２３の側脚部材２３１が、床面に接するものであり、且つ、前後方向に延びたものであるため、支持フレーム２を製造するための部品点数の削減、及び、溶接個所やねじ止め箇所の低減に寄与し得るものとなっている
。
【００４２】
なお、本発明は、以上に詳述した実施形態に限られるものではない。
【００４３】
支持フレームの水平支持部は、天板の周縁部に沿って配設されたものであればよい。すなわち、水平支持部は、天板の周縁部における反使用縁側に沿って設けられたものであってもよいし、天板の周縁部における左右の側縁側に沿って設けられたものであってもよいし、天板の周縁部における使用縁側に沿って設けられたものであってもよい。
【００４４】
水平支持部と起立支持部とは、一体に接続したものであってもよいし、溶接等により接続したものであってもよい。
【００４５】
起立支持部と脚部とは、一体に接続したものであってもよいし、溶接等により接続したものであってもよい。
【００４６】
その他、各部の具体的構成についても上記実施形態に限られるものではなく、本発明の趣旨を逸脱しない範囲で種々変形が可能である。
【符号の説明】
【００４７】
１…天板
２…支持フレーム
２１…水平支持部
２２…起立支持部
２３…脚部
Ａ…机
【図１】
2016144564.tif 000003
【図２】
2016144564.tif 000004
【図３】
2016144564.tif 000005
【図４】
2016144564.tif 000006
【図５】
2016144564.tif 000007
【図６】
2016144564.tif 000008
【図７】
2016144564.tif 000009
【図８】
2016144564.tif 000010
【図９】
2016144564.tif 000011